(57)【特許請求の範囲】
【請求項１】
標準型の配電機器の隣接する端子間距離に合せたピッチＰで接続孔が形成された３本の母線バーに、標準型の配電機器と、端子間距離がＰよりも小さい小型３極式配電機器とを、分岐バーを介して接続した分電盤であって、小型３極式配電機器の一方の外側極を小型３極式配電機器から最も遠い母線バーの接続孔に接続する第１分岐バーの接続点と、小型３極式配電機器の他方の外側極を小型３極式配電機器から最も近い母線バーの接続孔に接続する第２分岐バーの接続点から、母線バーに対して垂直に延びる２本の仮想線の間隔が前記ピッチＰとなるようにこれらの接続点を設定し、前記２本の仮想線の間に、小型３極式配電機器の中央極を位置させたことを特徴とする分電盤。
【請求項２】
小型３極式配電機器の一方の外側極と他方の外側極を、前記２本の仮想線の外側に位置させたことを特徴とする請求項１記載の分電盤。
【請求項３】
小型３極式配電機器の中央極を、前記２本の仮想線の中央に位置させたことを特徴とする請求項２記載の分電盤。
【請求項４】
前記標準型の配電機器が、端子間距離がＰである標準３極式配電機器、または標準２極配電機器であり、小型３極式配電機器をこれらの標準型の配電機器と隣接配置したことを特徴とする請求項３記載の分電盤。
【請求項５】
前記標準型の配電機器が、端子間距離がＰである標準３極式配電機器であり、小型３極式配電機器の筐体の横幅が、該標準３極式配電機器の筐体の横幅の２/３であることを特徴とする請求項１記載の分電盤。
【発明の詳細な説明】
【技術分野】
【０００１】
本発明は、端子間距離が異なる配電機器を混載した分電盤に関するものであり、特に配電機器を分岐バーを介して母線バーに接続する構造の分電盤に関するものである。本明細書において配電機器とはブレーカ、開閉器、端子台など、母線バーに接続して用いられる機器を意味するものである。
【背景技術】
【０００２】
ブレーカ等の配電機器を分岐バーを介して母線バーに接続した分電盤においては、配電機器の電源側の端子間距離に合わせた間隔で母線バーに接続孔が形成されており、これらの孔に分岐バーの一端をねじ止めし、他端を配電機器の電源側端子に接続している。このため特許文献１に示されるように、接続される配電機器は端子間距離が接続孔のピッチに対応した１種類のみであるのが一般的である。従って配電機器の横幅も、標準サイズと呼ばれる一定幅であるのが普通である。
【０００３】
しかし接続先の負荷の用途によって配電機器の定格電流が大きく変わる場合には、横幅の異なる３極式ブレーカを混載させることが必要となる。ブレーカの横幅が異なると端子間距離も異なるため、同一の母線バーに接続できない。そこで特許文献２には、母線バー上を移動可能な分岐バー接続部を設け、横幅の異なる３極式ブレーカであっても分岐バーを介して母線バーに接続できるようにした技術が開示されている。
【０００４】
しかしこのような分岐バー接続部を用いた場合には、分電盤の部品点数が増加するうえ、分岐バー接続部を母線バーにねじ止めしなければならないためにねじの締め付け工数が増えてしまい、分電盤の製造作業性が低下するという問題があった。
【先行技術文献】
【特許文献】
【０００５】
【特許文献１】実開平６−８８１２０号公報
【特許文献２】実開平６−８０３０７号公報
【発明の概要】
【発明が解決しようとする課題】
【０００６】
従って本発明の目的は上記した従来の問題点を解決し、部品点数を増加させることなく、端子間距離の異なる配電機器を混載できる分岐バー接続型の分電盤を提供することである。
【課題を解決するための手段】
【０００７】
上記の課題を解決するためになされた本発明は、標準型の配電機器の隣接する端子間距離に合せたピッチＰで接続孔が形成された３本の母線バーに、標準型の配電機器と、端子間距離がＰよりも小さい小型３極式配電機器とを、分岐バーを介して接続した分電盤であって、小型３極式配電機器の一方の外側極を小型３極式配電機器から最も遠い母線バーの接続孔に接続する第１分岐バーの接続点と、小型３極式配電機器の他方の外側極を小型３極式配電機器から最も近い母線バーの接続孔に接続する第２分岐バーの接続点から、母線バーに対して垂直に延びる２本の仮想線の間隔が前記ピッチＰとなるようにこれらの接続点を設定し、前記２本の仮想線の間に、小型３極式配電機器の中央極を位置させたことを特徴とするものである。
【０００８】
請求項２の発明は請求項１の発明において、小型３極式配電機器の一方の外側極と他方の外側極を、前記２本の仮想線の外側に位置させたことを特徴とするものである。請求項３の発明は請求項２の発明において、小型３極式配電機器の中央極を、前記２本の仮想線の中央に位置させたことを特徴とするものである。
【０００９】
請求項４の発明は請求項３の発明において、前記標準型の配電機器が、端子間距離がＰである標準３極式配電機器、または標準２極配電機器であり、小型３極式配電機器をこれらの標準型の配電機器と隣接配置したことを特徴とするものである。請求項５の発明は請求項１の発明において、前記標準型の配電機器が、端子間距離がＰである標準３極式配電機器であり、小型３極式配電機器の筐体の横幅が、該標準３極式配電機器の筐体の横幅の２/３であることを特徴とするものである。
【発明の効果】
【００１０】
本願発明によれば、標準型の配電機器と、端子間距離がピッチＰよりも小さい小型３極式配電機器とを、標準型の配電機器の隣接する端子間距離に合せたピッチＰで接続孔が形成された３本の母線バーに分岐バーを介して接続することができ、小型３極式配電機器と標準型の配電機器の混載が可能となる。しかも部品点数を増加させる必要がない。
【００１１】
請求項２の発明によれば、端子間の絶縁距離を十分に確保することができる。請求項３の発明によれば、小型３極式配電機器を対向させて母線バーに接続する場合にも、共通の分岐バーを使用することができる。
【００１２】
請求項４の発明によれば、用途に応じて適切なサイズの配電機器を使用することで、配電機器の搭載数を多くすることができる。
【００１３】
請求項５の発明によれば、無駄なスペースが生ずることなく、小型３極式配電機器を標準３極式配電機器と混載することができる。
【図面の簡単な説明】
【００１４】
【図１】本発明の第１の実施形態を示す正面図である。
【図２】本発明の第１の実施形態を示す斜視図である。
【図３】要部の拡大正面図である。
【図４】母線バーの左側に小型３極式配電機器、右側に標準３極式ブレーカを配置した場合の断面図である。
【図５】母線バーの左側に小型３極式配電機器、右側に小型２極式ブレーカを配置した場合の断面図である。
【図６】本発明の第２の実施形態を示す正面図である。
【図７】本発明の第２の実施形態を示す斜視図である。
【図８】本発明の第２の実施形態を示す断面図である。
【発明を実施するための形態】
【００１５】
以下に本発明の好ましい実施形態を示す。
図１は第１の実施形態を示す正面図、図２はその斜視図である。これらの図において、１は３本の母線バーであり、この実施形態では図４に示すように、Ｒ、Ｓ、Ｔの３本が三角形状に配置されている。Ｒ極とＴ極は下段に配置され、Ｓ極は上段に配置されている。また、各母線バー１には標準型の配電機器の隣接する端子間距離に合せたピッチＰで接続孔２が形成されている。これらの接続孔２はめねじが切られたねじ孔とし、分岐バーをねじ固定できるようにしてある。
【００１６】
母線バー１の両側に、配電機器が接続されている。この実施形態では配電機器は何れもブレーカであるが、前述したように開閉器や端子台であってもよい。図１、図２に示される３は標準３極式ブレーカ、４は標準２極式ブレーカである。これらは何れも端子間距離が、母線バー１の接続孔２のピッチＰに等しくなっている。５は小型２極式ブレーカであり、その筐体の横幅は標準２極式ブレーカ４の半分であり、母線バー１の同一仮想直線上に接続される。
【００１７】
図３に示すように、小型３極式配電機器６は外側極７、中央極８、外側極９の３つの端子を持ち、各端子を３本の母線バー１（Ｒ、Ｓ、Ｔ）にそれぞれ第１、第２、第３の分岐バー１０、１１、１２によって接続されている。その詳細は図３に示す通りである。小型３極式配電機器６は、その筐体の横幅が標準３極式ブレーカ３の横幅の２/３であるため、無駄なスペースが生ずることなくサイズの異なる配電機器と混載することが可能である。
【００１８】
先ず、小型３極式配電機器６の一方の外側極７は第１の分岐バー１０によって小型３極式配電機器６から最も遠い母線バー１（Ｔ）に接続されている。その接続点を１３とする。また小型３極式配電機器６の他方の外側極９は第２の分岐バー１２によって、小型３極式配電機器６から最も近い母線バー１（Ｒ）に接続されている。その接続点を１４とする。図３に示すように、これらの接続点１３、１４から母線バー１に対して垂直に延びる２本の仮想線１５、１６の間隔が前記のピッチＰとなるように、接続点１３，１４が設定される。これらの仮想線１５、１６の間に、小型３極式配電機器６の中央極８を位置させ、前記したいずれかの仮想線上に形成された中央の母線バー１（Ｓ）に設けた接続点１８に第３の分岐バー１１によって接続してある。
【００１９】
図３に示されるように、第３の分岐バー１１はその先端を第１の仮想線１５の方向に屈曲させてある。また図３に示されるように、小型３極式配電機器６の中央極８は前記２本の仮想線１５、１６の中央に位置することで、小型３極式配電機器６を対向させて母線バー１に接続する場合にも、共通の分岐バー１０，１１，１２を使用することができる。また、外側極７と他方の外側極９は前記２本の仮想線１５、１６のやや外側に位置させることで、小型３極式配電機器６の端子間の絶縁距離を十分に確保することができる。
【００２０】
図２に示すように、小型３極式配電機器６の端子は、外側極７、外側極９は下段に設け、中央極８は上段に設けてある。このように各極の端子と対応する母線バー１の高さを近付けることによって分岐バー１０、１１、１２を短く形成することができる。また隣接する端子間に段差を設けることにより、小型であっても相互間の絶縁距離を十分に確保することができる。図４に示すように、上段の分岐バー１１は略平坦であるが、下段の分岐バー１０、１２は途中から下方に屈曲した形状となっている。なお図５は、母線バー１の片側に小型３極式配電機器６、他側に小型２極式ブレーカを配置した場合の断面図である。
【００２１】
上記したように、本発明では小型３極式配電機器６の中央極８を仮想線１５、１６の間に位置させて、第３の分岐バー１１を仮想線１５上で母線バー１（Ｓ）に接続したので、第３の分岐バー１１は第２の分岐バー１２の接続ねじの位置から外れる。このため第２の分岐バー１２のねじ止め作業に支障を生じない。なお第１の分岐バー１０は小型３極式配電機器６から最も遠い母線バー１（Ｔ）に接続されるので、第３の分岐バー１１が邪魔になることもない。
【００２２】
このようにして、本発明によれば、標準型の配電機器３、４、端子間距離がＰよりも小さい小型３極式配電機器６とを、標準型の配電機器の端子間距離に合せたピッチＰで接続孔２が形成された３本の母線バー１に分岐バー１０、１１、１２を介して接続することができ、小型３極式配電機器６の混載が可能となり、用途に応じて適切なサイズの配電機器を使用することで、配電機器の搭載数を多くすることができる。なお、接続孔２は本実施形態のように、各極の母線バー１にピッチＰ間隔で一連に形成される必要はなく、いずれかの母線バー１にピッチＰ間隔で接続孔２が形成されている箇所があればよい。
【００２３】
以上に説明した第１の実施形態では、３本の母線バー１を三角形に配置した。しかし図６以下に示す第２の実施形態のように、３本の母線バー１を同一平面上に配置することもできる。この第２の実施形態においても、図６のように正面から見た場合の接続形態は第１の実施形態と同様であるから、対応する部分に同一の符号を付けて説明を省略する。
【００２４】
なお第２の実施形態では中央極８の第３の分岐バー１１は一方の仮想線１６上に形成した接続部１７において母線バー１に接続されているが、他方の仮想線１５上に形成した接続部に接続することもできる。
【００２５】
以上に説明したように、本発明によれば、部品点数を増加させることなく、標準型の配電機器と、端子間距離がＰよりも小さい小型３極式配電機器とを混載することができる。
【符号の説明】
【００２６】
１  母線バー
２  接続孔
３  標準３極式ブレーカ
４  標準２極式ブレーカ
５  小型２極式ブレーカ
６  小型３極式配電機器
７  外側極
８  中央極
９  外側極
１０  第１の分岐バー
１１  第３の分岐バー
１２  第２の分岐バー
１３  接続点
１４  接続点
１５  仮想線
１６  仮想線
１７  接続部
１８  接続点
【図１】
0006433336.tif 000002
【図２】
0006433336.tif 000003
【図３】
0006433336.tif 000004
【図４】
0006433336.tif 000005
【図５】
0006433336.tif 000006
【図６】
0006433336.tif 000007
【図７】
0006433336.tif 000008
【図８】
0006433336.tif 000009